(57)【要約】【課題】より良い使い心地を提供するとともに、製造が簡単で安価な椅子またはひじ掛け椅子を提供する。【解決手段】椅子は、それぞれが上部アーチ形ガイドおよび下部アーチ形ガイドをさらに含む少なくとも２個のシートキャリアと、それぞれが制限誘導領域をさらに含む、少なくとも２個の背もたれキャリアと、および、背もたれキャリア上に配置された背もたれと、ベースキャリアと、後側シート結合軸によってシートキャリアに連結された少なくとも１個の引張ばねレバーと、前側シート結合軸によってシートキャリアに連結された少なくとも２個の結合レバーと、該少なくとも１個の背もたれキャリア上に連結された形で配置された少なくとも２個の引張ロッドと、および、主軸上に配置されるとともにそれぞれが少なくとも２個の引張ロッドに連結された、少なくとも２個の引張レバーとをさらに含む。【選択図】図１
2009201988.tif 000002
【特許請求の範囲】
【請求項１】
椅子、とりわけ回転可能な事務用椅子であって、
それぞれが上部アーチ形ガイドおよび下部アーチ形ガイドをさらに含む少なくとも２個のシートキャリアと、
それぞれが制限誘導領域をさらに含む少なくとも２個の背もたれキャリアと、
背もたれキャリア上に配置された背もたれと、
背もたれキャリアの制限誘導領域は、対応するシートキャリアの上部アーチ形ガイドと下部アーチ形ガイドとの間にそれぞれ誘導され、これによって背もたれキャリアをシートキャリアに対して傾斜させることができ、
上部アーチ形ガイドおよび下部アーチ形ガイドが、円形部の弧として少なくとも所定の領域内に構成され、
上部アーチ形ガイドの円形部の弧および下部アーチ形ガイドの円形部の弧は同一の円中心Ｈを有し、
ベースキャリアと、
後側シート結合軸によってシートキャリアに連結された少なくとも１個の引張ばねレバーと、
前側シート結合軸によってシートキャリアに連結された少なくとも２個の結合レバーと、
該少なくとも１個の引張ばねレバーは主軸によって連結されており、および該少なくとも２個の結合レバーはベース結合軸によってベースキャリアに連結されており、
該少なくとも１個の背もたれキャリア上に連結された形で配置された少なくとも２個の引張ロッドと、
主軸上に配置されるとともにそれぞれが該少なくとも２個の引張ロッドに連結された、少なくとも２個の引張レバーとを備える椅子。
【請求項２】
上部アーチ形ガイド、下部アーチ形ガイド、および背もたれキャリアは、背もたれキャリアおよび背もたれが円中心（Ｈ）周りの円形経路に沿ってのみ移動可能なように設計されている、請求項１に記載の椅子。
【請求項３】
シートキャリアおよび背もたれは、椅子の使用者の股関節の枢動点（Ｄ）が円中心（Ｈ）の空間的位置と概ね一致するように設計されている、請求項１または２に記載の椅子。
【請求項４】
椅子が立つ床区域と前側シート結合軸との間の距離は、背もたれキャリアおよび／またはシートキャリアの傾斜に応じて可変である、請求項１ないし３のいずれかに記載の椅子。
【請求項５】
椅子構造が、椅子脚の中心軸を通るｘ−ｚ方向の平面と概ね鏡面対称に構成されている、請求項１ないし４のいずれかに記載の椅子。
【請求項６】
該少なくとも２個の結合レバーのそれぞれが、該少なくとも２個の引張レバーのうち一方の第二の結合手段と係合するよう設計された第一の結合手段を有する、請求項１ないし５のいずれかに記載の椅子。
【請求項７】
第一の結合手段が、等間隔の一連の突起として、または等間隔の一連の凹部として構成されている、請求項６に記載の椅子。
【請求項８】
第一の結合手段が歯列としてまたは歯車の円形部の弧として構成されている、請求項６に記載の椅子。
【請求項９】
約７０から約１１０度のシート角度（β）がｚ方向とシートキャリアの長手方向延長線（Ｓ）とで囲繞されるように、シートキャリアは傾動軸周りに傾斜可能である、請求項１ないし８のいずれかに記載の椅子。
【請求項１０】
約０から約５５度の背もたれ角度（γ）がｚ方向と背もたれの長手方向延長線（Ｒ）とで囲繞されるように、背もたれは傾動軸周りに傾斜可能である、請求項１ないし９のいずれかに記載の椅子。
【請求項１１】
シート角度の変化（Δβ＝β２−β１）と背もたれ角度の変化（Δγ＝γ２−γ１）との比が一定であり、比Δγ／Δβが約２から約４の間にある、請求項１０に記載の椅子。
【発明の詳細な説明】
【技術分野】
【０００１】
本発明は、椅子またはひじ掛け椅子に関し、とりわけ傾斜可能な背もたれを備えた事務用椅子またはひじ掛け椅子に関する。
【背景技術】
【０００２】
傾斜可能な背もたれを有する従来の椅子の場合、背もたれが傾斜する間に、シート面に対する上向きまたは下向き方向の相対移動が生じる。その結果、傾斜する背もたれと椅子の使用者の背中との間に、同様の相対運動が発生する。結果として発生する摩擦は、一方には、使用者に不快感を引き起こす可能性があり、および、他方には、摩擦によって使用者の上半身着衣が変位する、たとえば、シャツがズボンの外から出てしまうので、好ましくない。傾斜可能な背もたれを備えた従来の椅子のこの特性によって、このような椅子の使い心地が制限される。
【発明の概要】
【発明が解決しようとする課題】
【０００３】
したがって、本発明の目的は、一方ではより良い使い心地を提供し、および、他方では製造が簡単で安価な椅子またはひじ掛け椅子を提供することである。
【課題を解決するための手段】
【０００４】
この目的は請求項１に記載の椅子によって達成される。従属項の主題は好適な実施形態によって形成される。
【０００５】
本発明は、椅子またはひじ掛け椅子、とりわけ回転可能な事務用椅子であって、
それぞれが上部アーチ形ガイドおよび下部アーチ形ガイドをさらに含む少なくとも２個のシートキャリアと、
それぞれが制限誘導領域をさらに含む少なくとも２個の背もたれキャリアと、
背もたれキャリア上に配置された背もたれとを含み、
背もたれキャリアの制限誘導領域は、それぞれの場合において、対応するシートキャリアの上部アーチ形ガイドと下部アーチ形ガイドとの間に誘導され、これによって背もたれキャリアをシートキャリアに対して傾斜させることができ、上部アーチ形ガイドおよび下部アーチ形ガイドが円形部の弧として少なくとも所定の領域内に構成され、また、上部アーチ形ガイドの円形部の弧および下部アーチ形ガイドの円形部の弧が同一の円中心Ｈを有する、椅子に関する。
【０００６】
事務用椅子はさらに、
ベースキャリアと、
後側シート結合軸によってシートキャリアに連結された少なくとも１個の引張ばねレバーと、
前側シート結合軸によってシートキャリアに連結された少なくとも２個の結合レバーと、
ここで該少なくとも１個の引張ばねレバーは主軸によって連結されており、および該少なくとも２個の結合レバーはベース結合軸によってベースキャリアに連結されており、
該少なくとも１個の背もたれキャリア上に連結された形で配置された少なくとも２個の引張ロッドと、および
主軸上に配置されるとともにそれぞれが該少なくとも２個の引張ロッドに連結された、少なくとも２個の引張レバーとを含む。
【０００７】
（用語の定義）
本発明の理解を促進するために、多数の術語をここに例を用いて定義する。
【０００８】
椅子は平坦な床区域の上に配置することができる。方向および幾何学的関係の一義的な記載のために、下記の記載では、平坦な床区域はデカルト座標系のｘ方向およびｙ方向の２つの直交する方向ベクトルによって広がると仮定している。とりわけ、ｘ方向は、椅子の使用者の視線方向と概ね一致する、すなわち、ｘ方向は前方を指している。ｙ方向はｘ方向に垂直に立っており、および、概ね使用者から見て左方を指している。それと垂直にすなわち床区域と垂直に、ｚ方向が上向きに、すなわち重力の方向と反対向きに延びる。
【０００９】
延長および／または変位の方向は、このように定義された直交デカルト座標系に関連して指定することができる。下記の記載における、指定された方向に関連した術語「概ね」の使用はすべて、指定される方向は上述の基準方向と約±２０度未満、好ましくは約±１５度未満、より好ましくは約±１０度未満、および特に好ましくは約±５度未満、とりわけ約±２度未満、異なることを、特に意味する。この術語「概ね」は、目標値において存在する効果と同じ効果を保持できるように、目標値とのわずかな差、とりわけ、製造精度の限度内および／または必要な精度の限度内での差を記述することができる。したがって術語「概ね」は、目標値または目標位置等との、約３０％未満、約２０％未満、約１０％未満、約５％未満、約２％未満、好ましくは約１％未満の差を含むことができる。術語「概ね」は、術語「同一の」、すなわち目標値、目標位置等との差がないことを含む。
【００１０】
下記の記載における、度数の測定単位で指定される量に関連した術語「約」の使用はすべて、指定される方向は上述の基準方向と±１５度未満、および好ましくは±１０度未満、より好ましくは±５度未満、特に好ましくは±２度未満、とりわけ±１度未満異なることを、特に意味する。
【００１１】
上述の位置および方向は例示的であり、詳細には、たとえば、椅子の幅および長さを記述するために、および／または、たとえば、一義的に定義または決定できる座標を特定するよう方向を決定するための基準としての働きをする。適切であれば、他の位置または別の座標系にも用いることができる。
【００１２】
上記に記載したデカルト座標系では、シートキャリアは床区域と概ね平行に延びる。この場合、シートキャリアの長手方向延長線Ｓが、椅子の使用者の視線方向における概ね空間的な延長線である、すなわち、ｘ方向に概ね沿った方向を向くと仮定する。椅子の使用者から概ね見て右から左に、すなわちｙ方向に概ね沿って延びる横方向の延長は、シートキャリアの長手方向延長線Ｓと概ね直交する向きにある。シートキャリアの上に配置されたシート面は、床区域と概ね平行に延びる。とりわけ、シート面は２個のシートキャリアの概ね間に延び、この場合、シートキャリアは、シート面の右端領域および左端領域に、椅子の使用者の視線方向に沿って配置することができる。好ましくは、シート面は、２個のシートキャリアの間を覆う伸長可能なまたは弾力性のある被覆である。
【００１３】
背もたれは、床区域と概ね垂直におよびｙ方向およびｚ方向によって広がる面と概ね平行に、直立位置で延びる。この場合、背もたれの長手方向延長線Ｒが、椅子の使用者の脊柱に沿った、すなわちｚ方向に概ね沿った、概ね空間的な延長とする。椅子の使用者から概ね見て右から左に、すなわちｙ方向に概ね沿って延びる背もたれの横方向の延長線は、背もたれの長手方向延長線Ｒと概ね直交する向きにある。
【００１４】
本発明の意味において用いられる術語「第一の位置」は、たとえば、１個または複数の構成部品、とりわけシートキャリアおよび背もたれの状態または位置を記述する。術語「第一の位置」は、背もたれが直立位置にある場合の位置をとりわけ記述する。言い換えれ
ば、第一の位置は使用者が椅子の上に直立状態で座りたい場合の椅子の位置に対応する。
【００１５】
本発明の意味において用いられる術語「第二の位置」は、上述の状態または上述の位置とは異なる、たとえば、上述の構成部品、とりわけ、背もたれの状態または位置を記述する。第一の位置とは対照的に、第二の位置において、背もたれはさらに後傾している、すなわち、ｘ方向と反対方向に傾斜している。本発明の意味において用いられる術語「第二の位置」は、このように、背もたれが最大傾斜にある位置をとりわけ記述する。たとえば、ｘ方向と反対方向に背もたれに力を印加することによって第二の位置に到達することができる。印加された力によって、背もたれはとりわけ、たとえば第一の位置から第二の位置に移動する。この場合、構成部品とりわけ背もたれは、第一の位置と第二の位置との間の任意の中間位置へと移動させることができ、好ましくはこの中間位置に固定することができる。特に好ましくは、椅子はリセットできるように構成されている、すなわち、椅子は、ｘ方向と反対方向への力の背もたれへの作用の後に、第一の位置まで概ね戻るように設計されている。
【００１６】
有益なことに、背もたれのシートキャリアに対する傾斜運動の間に、シート面に対する上向きまたは下向き方向の相対運動は生じない。その結果、傾斜する背もたれと椅子の使用者の背中との間にも相対運動は発生せず、この結果として、背もたれを再度傾斜させても、椅子の使用者の上半身の着衣は互いに相対的に変位しない。したがって、有益なことに、発明による椅子の使い心地は従来の椅子と比べて向上される。
【００１７】
有益なことに、シートキャリアはベースキャリアに対して傾斜可能であり、シートキャリアの傾動軸はとりわけｙ方向と概ね一致する。特に好ましくは、ベースキャリアは、椅子脚の上に配置され、そして、とりわけ床区域に対して傾斜可能でない。
【００１８】
特に好ましくは、椅子は、２個またはそれ以上の引張ばねレバーおよび３個またはそれ以上の結合レバーを含むことができ、とりわけ、引張ばねレバーおよび結合レバーはそれぞれシートキャリアの右側および左側上に配置されている。
【００１９】
その結果、シートキャリアの下方にある中央空間は、有益なことに自由なままである。特に、シートキャリアの下端部とベースキャリアの上端部との間の自由空間の最小距離または高さは、約１ｃｍより大きく、約２ｃｍより大きく、特に好ましくは約５ｃｍより大きく、およびとりわけ約１０ｃｍより大きい。
【００２０】
さらに、引張ロッドは、２方向への押引によって背もたれを作動または変位させるため、引張荷重および圧縮荷重の両方を許容するよう設計されている。とりわけ、引張ロッドは概ね剛性である。代替的には、引張ロッドはプッシュロッドとしてまたはプル／プッシュロッドとしても設計しうる。特に好ましくは、椅子は３、４、５、６個またはそれ以上の引張ロッド、および３、４、５、６個またはそれ以上の引張レバーを有することができ、引張ロッドおよび引張レバーはそれぞれシートキャリアの右側および左側に配置されている。とりわけ、引張ロッドは、シートキャリアの閉輪郭に影響しないよう、シートキャリアの外側に、または、引張ロッド溝内に、シートキャリアの長手方向延長線Ｓに概ね沿って配置することができる。
【００２１】
好ましくは、上部アーチ形ガイド、下部アーチ形ガイド、および背もたれキャリアは、背もたれキャリアおよび背もたれが円中心Ｈ周りの円形経路に沿ってのみ移動することができるように設計されている。
【００２２】
有益なことに、円中心Ｈからの背もたれの個々の領域の距離は背もたれの回転運動中は一定のままである、すなわち、円中心Ｈから放射する半径方向において、背もたれまたは
その個々の領域の直進運動は生じない。この結果として、椅子の使用者の骨盤の位置は背もたれから離反して移動しない。したがって、椅子の使用者の骨盤および仙椎は有益なことに、背もたれの異なる傾斜で支持されている。とりわけ、背もたれの下部領域は骨盤から離反して概ね移動しないので、骨盤の後方への回転は回避される。骨盤の回転の結果、とりわけ腰椎の脊椎円板に荷重がかかる「脊柱後湾姿勢」となる。したがって、椅子のこの好適な実施形態は特に背中にやさしい。
【００２３】
好ましくは、椅子の使用者の股関節の枢動点Ｄが円中心Ｈの空間的位置と概ね一致するようにシートキャリアおよび背もたれが設計されている。好ましくは、ＨとＤとの間の距離は約５ｃｍ未満、特に好ましくは約３ｃｍ未満、およびとりわけ２ｃｍ未満である。この場合、有益なことに、傾斜のすべての位置において、かつ背もたれの傾斜運動の間、骨盤および脊柱のすべての領域が支持されている。
【００２４】
好ましくは、椅子が立つ床区域と前側シート結合軸との間の距離は、背もたれキャリアおよび／またはシートキャリアの傾斜中に可変であるかまたは変更可能である。とりわけ、前側シート結合軸は、結合レバーの回転中に距離が変化するように結合レバー上に配置されている。特に好ましくは、シート結合軸の床区域からの距離は、シートキャリアまたはシート面および／または背もたれが後傾している場合に減少する。
【００２５】
その結果、有益なことに、椅子の使用者がリクライニングする際に下腿部または膝部が前側シート面によって概ね持ち上げられないよう、シート面前端部と床区域との間の距離は概ね一定のままである。このことによって有益なことに、下腿にかかる圧力を回避し、かつ、下肢への血液の供給は制限されず、これによって座り心地を向上させる。
【００２６】
好ましくは、椅子構造が、椅子脚の中心軸を通るｘ−ｚ方向の平面と概ね鏡面対称に構成されている。この場合椅子構造はとりわけ、シートキャリア、該少なくとも１個の引張ばねレバー、および結合レバーを含む。より好ましくは、椅子構造は、引張レバーおよび引張ロッドを含み、そして特に背もたれキャリアも含む。
【００２７】
有益なことに、椅子構造の鏡面対称の構成によって、個々の構成部品のねじれからの自由度が増加する。その理由は、作用力は対称的に分布し、および第一の近似においてねじれまたはねじり力は互いに補正しあうからである。その結果、椅子構造全体は有益なことにより少ない材料使用で製造することができ、およびより細型の設計が促進される。
【００２８】
好ましくは、該少なくとも２個の結合レバーのそれぞれが、該少なくとも２個の引張レバーのうち一方の第二の結合手段と係合するように、および／または、力を伝達する形態で連結されるように設計された第一の結合手段を有する。
【００２９】
好ましくは、第一の結合手段は、等間隔の一連の突起としてまたは等間隔の一連の凹部として構成されている。とりわけ、第一の結合手段の突起は、第二の結合手段内にある対応する凹部と係合するように構成されている。代替的には、第一の結合手段内にある凹部は、第二の結合手段の突起が該凹部と係合できるように構成されている。
【００３０】
好ましくは、第一の結合手段は、歯列としてまたは歯車の円形部の弧として構成されている。とりわけこの場合、両方の結合手段が力を伝達する形態で互いに連結されるように、第二の結合手段は、対応する相手部品の歯列または歯車部として構成される。
【００３１】
好ましくは、約７０から約１１０度の、より好ましくは約８０から約１００度のシート角度βが、ｚ方向とシートキャリアの長手方向延長線Ｓとで囲繞されるように、シートキャリアは傾動軸周りに傾斜可能である。特に好ましくは、シート角度βは約８５から約９
５度の範囲内にある。言い換えれば、シートキャリアの長手方向延長線Ｓは、ｘ方向に概ね沿って伸び、およびｘ方向に対して限定的な程度に傾斜可能である。
【００３２】
好ましくは、約０から約５５度の背もたれ角度γが、ｚ方向と背もたれの長手方向延長線Ｒとで囲繞されるように、背もたれが傾動軸周りに傾斜可能である。特に好ましくは、背もたれ角度γは約５から約４０度の範囲内にある。
【００３３】
好ましくは、シート角度の変化Δβと背もたれ角度の変化Δγとの比が一定であり、比Δγ／Δβは約２から約４の間にある。言い換えれば、背もたれの傾斜が、シートキャリアの傾斜とともに生じる。たとえば、５度の背もたれ角度を有する第一の位置から、５度の背もたれ角度を有する第二の位置へと移動させられると、次いでΔγは３０度と等しくなる。例示的な比Δγ／Δβが３の場合、シート角度の変化Δβはしたがって１０度となる。その結果、太腿および骨盤底もまた後方に１０度傾斜しており、およびシートキャリアと背もたれとの間の開口角度α＝β＋γも２０度増加する。特に好ましくは比Δγ／Δβは、約２．２から約３．７の間、約２．５から約３．５の間、約２．７から約３．３の間、およびとりわけ約３である。
【００３４】
本発明は例を用いて説明される上述の実施形態に限定されない。それとは逆に、記載された各態様および／または記載された各実施形態の個々の構成要素および／または特徴と、別の態様および／または別の実施形態の個々の構成要素および／または特徴を、所望の形態で組み合わせることができ、このようにしてさらに別の態様および／または実施形態を形成することができる。
【発明の効果】
【００３５】
本発明によれば、より良い使い心地を提供し、および、他方では製造が簡単で安価な椅子またはひじ掛け椅子を提供できる。
【図面の簡単な説明】
【００３６】
【図１】椅子の第一の実施形態による機構の斜視図である。
【図２】椅子の該実施形態による機構の第一の位置における側面図である。
【図３】椅子の第一の実施形態による機構の第二の位置における側面図である。
【図４】図２による機構の詳細な側面図である。
【図５】図３による機構の詳細な側面図である。
【図６】椅子の第二の実施形態による機構の第一の位置における詳細な側面図である。
【図７】椅子の第二の実施形態による機構の第二の位置における詳細な図である。
【発明を実施するための形態】
【００３７】
図１は椅子１の第一の実施形態による機構の斜視図である。椅子１は、好ましくは高さを調節可能な椅子脚２、ベースキャリア３、２個のシートキャリア４、２個の背もたれキャリア５、および背もたれ６を含む。
【００３８】
この実施形態では、一方には後側シート結合軸１８上に配置された２個の引張ばねレバー１０が、および、他方には前側シート結合軸２２上に配置された２個の結合レバー２０が、連結された形態でシートキャリア４上に配置されている。引張ばねレバー１０はベースキャリアに主軸１４を介して連結されており、結合レバー２０もベース結合軸２４を介して連結されている。このようにして、シートキャリア４はベースキャリア３に接続され、次いでベースキャリア３が椅子脚２に接続される。
【００３９】
図示した実施形態では、２個の背もたれキャリアを一体に連結し、そして背もたれ６の
寸法安定性を高めるために、背もたれキャリア５および背もたれ６は、特に補強要素７を有する。背もたれ６は、好ましくは背もたれキャリア５と、そして特に補強要素７と一体に構成することができる。
【００４０】
それぞれの背もたれキャリア５は、それぞれがシートキャリア４上に配置された上部アーチ形ガイド４５と下部アーチ形ガイド４６との間に、移動可能に搭載されている。それぞれの引張ロッド５０は、背もたれキャリア５上に連結された形態で配置され、および引張レバー３０に連結されている。２個の引張レバー３０は主軸１４上に配置されており、および結合レバー２０に連結されている。
【００４１】
図２は、図１に示す椅子１の第一の実施形態による機構の、第一の位置における側面図である。第一の位置では、椅子構造は使用者が椅子１に直立着座位置で着座できる位置にある。
【００４２】
シートキャリア４は、ｘ方向と概ね平行に、かつｚ方向と概ね直角に延びる長手方向延長線Ｓ、および、ｙ方向に沿った第二の延長線とを有しており、その結果、シートキャリア４の上端部によって広がる平面は概ね水平に延びる。シートキャリア４はｙ方向に沿って延びる傾動軸周りに傾斜可能であり、その結果、シート角度β１は、ｚ方向とシートキャリア４の長手方向延長線Ｓとで囲繞され、第一の位置における角度β１は約８０から約１１０度の範囲内にあり、とりわけ約９０度である。
【００４３】
背もたれ６は、ｚ方向と概ね平行かつｘ方向と概ね直角に延びる長手方向延長線Ｒと、ｙ方向に沿った第二の延長線を有しており、その結果、背もたれ６によって広がる平面は概ね垂直に延びる。背もたれ６は、ｙ方向に沿った傾動軸または回転軸周りに傾斜可能である。とりわけ、背もたれキャリア５は、上部および下部アーチ形ガイド４５、４６によって、少なくとも所定の領域内に環状に誘導される。上部および下部アーチ形ガイド４５、４６の円形部の弧の共通の円中心Ｈは、この場合、上部アーチ形ガイド４５とは半径ＲＨだけ離して配置されている。したがって背もたれ６は、円中心Ｈ周りに回転できるように取り付けられている。とりわけ、円中心Ｈと背もたれ６との間に相対的な直進運動は生じない。
【００４４】
第一の位置において、背もたれ角度γ１は、ｚ方向と背もたれ６の長手方向延長線Ｒとで囲繞され、第一の位置において、角度γ１は約０から２５度の範囲内にあり、とりわけ約６度である。したがって、第一の位置において約８０から約１３５度の範囲内にありとりわけ約９６度である開口角度α１は、背もたれ６の長手方向延長線Ｒとシートキャリア４の長手方向延長線Ｓとで囲繞される。
【００４５】
引張ロッド５０がｘ方向と反対方向における極限位置、すなわち後部にある時に、２５度未満の最小背もたれ角度γ１が得られる。この位置では、シートキャリア４のアーチ形ガイド４５、４６の円中心Ｈは、椅子脚２のｚ軸に近い空間的位置にある。とりわけ、円中心Ｈからの、ｚ方向と反対方向におけるシートキャリア４に対する距離、およびｘ方向と反対方向における背もたれ６または背もたれキャリア５に対する距離は、概ね同じ大きさである。
【００４６】
図３は、椅子１の第一の実施形態による機構の、第二の位置における側面図である。第二の位置において、椅子構造は使用者が椅子１に傾斜した着座位置で着座できる位置にある。
【００４７】
第二の位置において、シートキャリア４の長手方向延長線Ｓは、ｚ方向と共に、約７０から約９０度の、とりわけ約８０度のシート角度β２を囲繞する。
【００４８】
第二の位置において、背もたれ６の長手方向延長線Ｒは、ｚ方向と共に、約２０から約５５度の、とりわけ約３６度の背もたれ角度γ２を囲繞する。
【００４９】
したがって、第二の位置において、約９０から約１４５度の、とりわけ約１１６度の開口角度α２は、背もたれ６の長手方向延長線Ｒとシートキャリア４の長手方向延長線Ｓとで囲繞されている。
【００５０】
引張ロッド５０がｘ方向における極限位置、すなわち前部にある時に、最大背もたれ角度γ２が得られる。この位置では、円中心Ｈは、第一の位置と比較して、椅子脚２のｚ軸からｘ方向と反対方向にさらに離反して設定された空間的位置にある。とりわけ、円中心Ｈからの、ｚ方向と反対方向におけるシートキャリアに対する距離、および、ｘ方向と反対方向における背もたれ６または背もたれキャリア５に対する距離は、第二の位置においても概ね同じ大きさである。
【００５１】
椅子１が第一の位置から第二の位置へと移動する際に、シート角度の変化Δβ＝β２−β１および背もたれ角度の変化Δγ＝γ２−γ１は、好ましくは互いに一定の比である。この場合、角度の変化の比Δγ／Δβは、とりわけ約２から約４の間、より好ましくは 
約２．５から約３．５の間、および特に好ましくは約３である。
【００５２】
さらに、ｘ方向と反対方向に第一の位置から第二の位置へと移動する際に、背もたれ６からの距離が増加しないように、円中心Ｈが変位する。
【００５３】
好ましくは、円中心Ｈは椅子１の使用者の股関節の枢動点Ｄの空間的位置と一致するように配置されている。好ましくは、ＨとＤの距離は約５ｃｍ未満、特に好ましくは約３ｃｍ未満、およびとりわけ２ｃｍ未満である。好ましくは、上部アーチ形ガイド４５の半径ＲＨ、すなわちシートキャリアからまたは背もたれキャリアからの円中心Ｈの距離は、約６ｃｍから約２０ｃｍの範囲内、より好ましくは約８ｃｍから約１８ｃｍの範囲内、特に好ましくは約１０ｃｍから約１５ｃｍの範囲内、とりわけ約１１ｃｍから約１３ｃｍの範囲内にある。
【００５４】
図４は、図２に示す椅子の第一の実施形態による機構の、第一の位置における詳細な側面図である。
【００５５】
シートキャリア４は、一方は２個の引張ばねレバー１０を介して、および他方は２個の結合レバーを介して、ベースキャリア３に連結されている。それぞれの引張ばねレバー１０は、一方の端部には結合軸受け部１１を、反対側の端部に引張ばね軸受け部１２を、およびそれらの間に主軸受け部１３を有する。それぞれの引張ばねレバー１０は、主軸受け部１３に取り付けられた主軸１４を介して、ベースキャリア３に回転可能に接続されている。さらに、引張ばねレバー１０は、引張ばね軸受け部１２に取り付けられた引張ばね軸１５、引張ばね１６、および引張ばねのサスペンション１７を介してベースキャリア３に接続されている。引張ばねレバー１０のシート結合軸受け部１１は、シート結合軸１８および後部シート結合軸受け４１を介してシートキャリア４に連結されている。
【００５６】
それぞれの結合レバーは、好ましくは２本の脚を供えた概ね角形状である。結合レバー２０はさらに脚の一端部にシート結合軸受け部２１を有し、シート結合軸受け部２１では、結合レバー２０が前側シート結合軸２２および前側シート結合軸受け４２を介してシートキャリア４に連結されている。さらに、該少なくとも１個の結合レバー２０は、ベース結合軸２４を受けるベース結合軸受け部２３を有し、その結果、該少なくとも１個の結合レバー２０は、ベース結合軸２４を介してベースキャリア３に回転可能に接続されている
。
【００５７】
他方の脚の一端部において、該少なくとも１個の結合レバー２０は、引張レバー３０の第二の結合手段３５と係合するよう設計された第一の結合手段２５を有する。
【００５８】
該少なくとも１個の引張レバー３０は、好ましくは２本の脚を供えた角形状である。該少なくとも１個の引張レバー３０は、脚の一端部に引張ロッド軸受け部３１を有し、引張ロッド軸受け部３１では、引張ロッド５０は引張レバー３０に連結されている。さらに、少なくとも１個の引張レバー３０は、主軸１４を受ける主軸受け部３３を有し、その結果、引張レバー３０は主軸１４を介してベースキャリア３に回転可能に接続される。
【００５９】
他方の脚の一端部において、該少なくとも１個の引張レバー３０は、少なくとも１個の結合レバー２０の第一の結合手段２５と係合するよう設計された第二の結合手段３５を有する。
【００６０】
第一の実施形態では、第一の結合手段２５が、等間隔の一連の突起、歯もしくは歯列として、または歯車の円形部の弧として構成されている。第一の実施形態では、第二の結合手段３５は、第一の結合手段の相手部品として構成された、凹部の等間隔の列、歯もしくは歯列として、またはその他歯車の円形部の弧として、構成することができ、第一の結合手段２５は第二の結合手段３５と係合している。
【００６１】
該少なくとも１個の引張レバー３０を回転することによって、引張レバー３０に連結した引張ロッド５０を、概ねｘ方向にまたはｘ方向と反対方向に移動させることができる。引張ロッド５０は連結された接続部５１を介して背もたれ５に接続されている。
【００６２】
背もたれキャリア５は、誘導された構成要素５３を有する制限誘導領域５２を備え、および、シートキャリア４の上部アーチ形ガイド４５および下部アーチ形ガイド４６内を移動可能であり、とりわけ、円中心Ｈの周りに回転可能である。誘導された構成要素５３は、とりわけ、制限誘導領域５２に配置された軸スタブまたは軸上に配置されたローラーとして、構成することができる。ローラーは、とりわけ転動または摺動することによって、上部アーチ形ガイド４５と下部アーチ形ガイド４６との間に変位することができる。最初に、ローラーの直径が、例えば上部アーチ形ガイド４５と下部アーチ形ガイド４６との間の距離よりも１／１０から１／２ｍｍ小さく選択されると、次いで変位は、有益なことに概ねローラーによって、特に摩擦のない態様で実行されるであろう。
【００６３】
第一の位置において、引張ばね１６は収縮および弛緩し、該少なくとも１個の引張ロッド５０はｘ方向における極限の空間的位置にあり、そしてシートキャリアは概ね水平に、すなわちｘｙ平面と概ね平行に延びる。
【００６４】
図５は、図３に示す椅子１の第一の実施形態による、第二の位置における機構の詳細な側面図である。
【００６５】
図からわかるように、上部アーチ形ガイド４５を介した背もたれキャリア５までの継続的なシートキャリア４の移動は、図４の第一の位置から第二の位置へと移動する間に維持されている。言い換えれば、アーチ形ガイド４５、４６は、背もたれキャリア５または背もたれ６の動径ベクトルＲＨの方向に沿った直進運動を防止する。これは有益なことに、シートキャリアと背もたれとの間の移行領域における、座り心地の低下に不利につながるであろう、椅子の被覆における不連続または境界の形成を防止する。
【００６６】
さらに図４および５は、シートキャリア４の前端部４３が、椅子の使用者がリクライニ
ングする時に下腿または膝の上昇を防止するために、ｚ方向すなわち上方向に、前側シート結合軸２２に対して変位し、結合レバー２０の回転の結果、前側シート結合軸２２はｚ方向と反対方向へすなわち下向きに変位することを示す。好ましくは、シートキャリアの前端部４３の位置は概ね一定のままであり、すなわち、ｚ方向に沿って量の点では約２ｃｍ未満、より好ましくは約１ｃｍ未満、および特に好ましくは約０．５ｃｍ未満変位する。
【００６７】
図６は、椅子１の第二の実施形態による機構の、第一の位置における側面図である。椅子１はこの場合は、とりわけ図４に示す第一の実施形態に概ねしたがって構成されている。したがって、図４に対応する部品には同一の参照番号が付けられている。
【００６８】
第二の実施形態では、該少なくとも１個の結合レバー２０は好適な第一の結合手段２５を有し、および該少なくとも１個の引張レバー３０は好適な第二の結合手段３５を有し、結合手段２５、３５は互いに係合するよう設計されている。
【００６９】
第二の実施形態では、第一の結合手段２５はジャーナル２６または軸スタブ２６として構成されている。好ましくは、ジャーナル２６とベース結合軸受け部２３との接続線、および、シート結合軸受け部２１とベース結合軸受け部２３との接続線は、１８０度とは異なる角度δを囲繞する。特に好ましくは、δは約３０から約１５０度との間、および特に好ましくは約８０から約１１０度との間にある。
【００７０】
第二の結合手段３５は、第二の実施形態では、引張レバー３０内の凹部３６として構成され、凹部３６とジャーナル２６は係合している。凹部３６は、好ましくは細長い形態で、とりわけ概ね長方形に構成され、その結果、凹部３６の短辺のＫ方向の長さは、ジャーナル２６の直径と約等しい。凹部３６は、凹部３６の長手方向延長線の方向Ｌ、すなわち、長辺の方向の延長線が、主軸１４から放射する主軸１４の動径ベクトルと一致するように配置されている。その結果、ジャーナル２６は、凹部３６の長手方向延長線の方向Ｌまたはその反対方向、すなわち、主軸１４から径方向に離反してまたは径方向に向けて概ね移動可能である。したがって、ジャーナル２６によって凹部３６の端部まで方向Ｋにもしくはその反対方向に、または、凹部３６の端部からジャーナル２６まで力を伝達することができる。この力の作用によって、引張レバー３０が主軸１４周りに回転することができる。その理由は、この力は引張レバー３０に対して接線方向に、すなわち主軸と相対して動径ベクトルと直角にこの力が作用するからである。
【００７１】
図７は、椅子１の第二の実施形態による機構の、図３および５に示す位置に類似した第二の位置における、側面図である。図６および７に図示した実施形態においても、背もたれキャリア５がリクライニングするにつれ、リクライニングする間にシートキャリアの前端部４３による椅子の使用者の下腿または膝が持ち上がるのを回避するために、シート結合軸２２は、ｚ方向と反対方向に、すなわち下向きに変位する。
【００７２】
好適な実施形態の本記載は上記に記載のそれぞれの図に制限されない。それとは逆に、各図に関する議論は別の図にも同じように適用される。同様に、図に関して行われた記載も前述の態様および実施形態に適用される。このようにして、さらに別の好適な実施形態が、（各）図を参照に記載された個々の特徴によって、および／または、態様の個々の特徴および／または実施形態（の個々の特徴）によって、形成することができ、個々の特徴は任意の所望の形態で互いに組み合わせることができる。
【符号の説明】
【００７３】
１     椅子
２     椅子脚
３     ベースキャリア
４     シートキャリア
５     背もたれキャリア
６     背もたれ
７     補強要素
１０   引張ばねレバー
１１   シート結合軸受け部
１２   引張ばね軸受け部
１３   主軸受け部
１４   主軸
１５   引張ばね軸
１６   引張ばね
１７   引張ばねのサスペンション
１８   後側シート結合軸
２０   結合レバー
２１   シート結合軸受け部
２２   前側シート結合軸
２３   ベース結合軸受け部
２４   ベース結合軸
２５   第一の結合手段
２６   ジャーナル
３０   引張レバー
３１   引張ロッド軸受け部
３３   主軸受け部
３５   第二の結合手段
３６   凹部
４１   後側シート結合軸受け
４２   前側シート結合軸受け
４３   シートキャリア４の前端部
４５   上部アーチ形ガイド
４６   下部アーチ形ガイド
５０   引張ロッド
５１   接続された接続部
５２   制限誘導領域
５３   誘導された構成要素
Ｄ     股関節の枢動点
Ｈ     円中心
Ｋ     凹部の短辺の方向
Ｌ     凹部の長辺の方向
Ｒ     背もたれ６の長手方向延長線
ＲＨ   動径ベクトル
Ｓ     シートキャリア４の長手方向延長線   
【図１】
2009201988.tif 000003
【図２】
2009201988.tif 000004
【図３】
2009201988.tif 000005
【図４】
2009201988.tif 000006
【図５】
2009201988.tif 000007
【図６】
2009201988.tif 000008
【図７】
2009201988.tif 000009